(57)【要約】  その走行速度（Ｖ）がＡＣＣシステムによって帰還制御されている車両（１）の追越プロセスにおける安全性を高める、以下のステップを包含することを特徴とする方法と装置：車両（１）が、少なくとも一台のある車線の前方を走行している車両（３；  ５；  ７；  ８）を、ある追越プロセスにおいて、追い越す可能性がある潜在的追越シチュエーションを認識するステップ（Ｓ１）；車両（１）が、合法的に前方を走行中の車両（３；  ５；  ７；  ８）を追い越せる場合、自分の追越プロセスを加速する、並びに、車両（１）が、前方を走行中の車両（３；  ５；  ７；  ８）を非合法的に追越しそうな場合、或いは、前方を走行中の車両の追越プロセスを可能にするために自分の追越プロセスを阻止するステップ（Ｓ２）。（図１）
2017518913.tif 000002
【特許請求の範囲】
【請求項１】
その走行速度（Ｖ）がＡＣＣシステムによって帰還制御されている車両（１）の追越プロセスにおける安全性を高める、以下のステップを包含することを特徴とする方法：
（ａ）  車両（１）が、少なくとも一台のある車線の前方を走行している車両（３；  ５；  ７；  ８）を、ある追越プロセスにおいて、追い越す可能性がある潜在的追越シチュエーションを認識するステップ（Ｓ１）；並びに、
（ｂ）  車両（１）が、合法的に前方を走行中の車両（３；  ５；  ７；  ８）を追い越せる場合、自分の追越プロセスを加速する、並びに、車両（１）が、前方を走行中の車両（３；  ５；  ７；  ８）を非合法的に追越しそうな場合は、或いは、前方を走行中の車両（３；  ５；  ７；  ８）の追越プロセスを可能にするために自分の追越プロセスを阻止するステップ（Ｓ２）。
【請求項２】
車両（１）のその時点の走行速度（Ｖ）と前方を走行中の車両の走行速度が、車両（１）のＡＣＣシステムの設定されている巡航速度（Ｖｓｅｔ）を下回っている場合に、潜在的追越シチュエーションとして認識されることを特徴とする請求項１に記載の方法。
【請求項３】
車両（１）が、非合法的に右側から少なくとも一台の前方を走行中の車両（３；  ５）を追い抜く恐れがある場合、車両（１）の現在の走行速度を、前方を走行中の車両（３；  ５）の走行速度に合わせ、設定可能な維持期間、これを維持することにより、車両（１）の追越プロセスを阻止することを特徴とする請求項１或いは２に記載の方法。
【請求項４】
少なくとも一台の前方を走行中の車両（３；  ５；  ７；  ８）の走行速度が、車両（１）のＡＣＣシステムの一つのセンサーユニットによって捕捉されることを特徴とする請求項１から３のうち一項に記載の方法。
【請求項５】
車両（１）のＡＣＣシステムのセンサーユニットが、比較的狭い視野領域・開口角度のレーダー・センサーによって構成されていることを特徴とする請求項４に記載の方法。
【請求項６】
車両（１）の更に一つの比較的大きな視野領域・開口角度を有するセンサーユニットが、車両近傍の他の車両を捕捉した場合、維持期間が、延長されることを特徴とする先行請求項３から５のうち一項に記載の方法。
【請求項７】
車両（１）の更なるセンサーユニットが、少なくとも一台のカメラ、一つのレーダー・センサー、及び／或いは、ライダー・センサーを包含していることを特徴とする請求項６に記載の方法。
【請求項８】
車両（１）が、左車線（Ｌ）を走っている一つの車両グループの複数の前方を走行中の車両（５）を右車線（Ｒ）から追い抜く恐れがある場合に、該車両（１）のその時点の走行速度を、該車両グループの前方を走行中の少なくとも一台の、車両（１）のＡＣＣシステムのセンサーユニットの視野領域内にあり、ＡＣＣシステムの該センサーユニットによって捕捉されている車両（５）の最低、乃至、平均走行速度に合わせることにより、追越プロセスが、阻止されることを特徴とする先行請求項１から７のうち一項に記載の方法。
【請求項９】
車両（１）が左車線（Ｌ）を走行し、且つ、右車線（Ｒ）に、左車線（Ｌ）に車線変更しそうな前方を走行中の車両（７）が認識された場合、車両（１）の追越プロセスが加速されることを特徴とする先行請求項１から８のうち一項に記載の方法。
【請求項１０】
前方を走行中の車両（７）が、その前方にある不動のオブジェクト、或いは、その前方にある、低速で移動しているオブジェクト（６）に、特に、貨物自動車（ＬＫＷ）に、実際に接近している、或いは、接近することが予想される場合に、右車線（Ｒ）の前方を走行中の車両（７）が、左車線（Ｌ）に車線変更をしようとしていると認識されることを特徴とする請求項９に記載の方法。
【請求項１１】
右車線（Ｒ）に、左車線（Ｌ）に車線変更しそうな前方を走行中の車両（７）が認識された場合、前方を走行中の車両を追い越すために車両（１）に残されている追越時間が計算されることを特徴とする請求項９乃至１０に記載の方法。
【請求項１２】
左車線（Ｌ）を走行している車両（１）のその時点の走行速度、右車線（Ｒ）の前方を走行中の車両（７）の走行速度、並びに、右車線（Ｒ）の前方を走行中の車両（７）が、その前方のオブジェクト（６）に接近する接近速度に基づいて、車両（１）に残されている追越時間が計算されることを特徴とする請求項１１に記載の方法。
【請求項１３】
車両（１）のＡＣＣシステムの、及び／或いは、他の車両の他のＡＣＣシステムの設定されている巡航速度Ｖｓｅｔ、及び／或いは、他の帰還制御パラメーターが、計算によって割り出された残されている追越時間に基づいて、自分の追越プロセスが安全に実施できる、或いは、前方を走行中の車両が、追越プロセスを実施できるように変更されることを特徴とする請求項１２に記載の方法。
【請求項１４】
車両（１）の追越プロセスが、ドライバーが、該追越プロセスの実施を該車両（１）のＡＣＣシステムへの入力によって承認した、及び／或いは、追越プロセスにおいて法定最高速度を超過しない場合にのみ、実施されることを特徴とする請求項１３に記載の方法。
【請求項１５】
前方を走行中の車両（８）が、該前方を走行中の車両（８）の前方にあるオブジェクト（９）、特に、車両を、安全に追い越すために付加的な追越時間を必要とする場合、車両（１）の追越プロセスが、阻止される、或いは、遅延されることを特徴とする先行請求項１から１４のうち一項に記載の方法。
【請求項１６】
その走行速度がＡＣＣシステムによって帰還制御されている車両（１）の追越プロセスにおける安全性を高める、以下を包含することを特徴とする装置：
車両（１）が、少なくとも一台のある車線の前方を走行している車両（３；  ５；  ７；  ８）を、ある追越プロセスにおいて、追い越す可能性がある潜在的追越シチュエーションを認識する認識ユニット、
但し、車両（１）が、合法的に前方を走行中の車両（３；  ５；  ７；  ８）を追い越せる場合は、自分の追越プロセスは加速され、逆に、車両（１）が、前方を走行中の車両（３；  ５；  ７；  ８）を非合法的に追越しそうな場合は、該追越プロセスは、阻止される。
【発明の詳細な説明】
【技術分野】
【０００１】
本発明は、その走行速度がＡＣＣシステムによって帰還制御されている車両の追越（追抜）プロセスにおける安全性、及び／或いは、快適性を向上するための方法、及び、装置に関する。
【背景技術】
【０００２】
車両は、ますます、車間調整クルーズコントロール、アダプティブ・クルーズコントロール、ＡＣＣシステムを装備するようになってきている。ＡＣＣシステムでは、前方を走行中の車両の位置及び速度が、ＡＣＣシステムを装備している車両のセンサーによって捕捉され、ＡＣＣシステムを装備している追従している車両の速度及び間隔が、エンジンとブレーキへの介入によってアダプティブに帰還制御される。間隔測定には、例えば、レーダーシステム、或いは、所謂、ライダーシステムを使用することができる。該ＡＣＣシステムは、長距離走行、特に、アウトバーンや混雑した市街地での走行時における乗り心地の向上、並びに、ドライバーの集中力の負荷を軽減することに役立っている。ＡＣＣシステムが装備された車両のセンサーユニットは、該センサーユニットの捕捉範囲（視野領域）内、例えば、到達半径と開口角度からなる円弧内にある前方を走行中の車両を捕捉する。従来のＡＣＣシステムは、ＡＣＣシステムを装備した車両前方の走行チューブ（進路）内、乃至、センサーユニットの視野領域内にある前方を走行中の車両に反応する。例えば、片側二車線のアウトバーンにおける追越シチュエーションでは、隣の車線を走行している車両も考慮することが必要である。しかし、従来のＡＣＣシステムは、追越シチュエーションにおいて弱点を有している。
【０００３】
例えば、ＡＣＣシステムを装備した車両が、（注：以下、全て右側通行のケースで説明される）片側二車線のアウトバーンの左車線を、ＡＣＣシステムにセットした設定速度Ｖｓｅｔ以下の速度で走行しており、該車両が、該シチュエーションにおいてアウトバーンの左車線から右車線に車線変更した場合において、ＡＣＣシステムを装備した車両のその時点の速度が、左車線上の前方を走行中の車両の速度よりも早い場合、該左車線上の前方を走行中の車両を意図せず右側から追い越すことが起こり得る。このような交通シチュエーションは、相対的にゆっくりと走っている前方を走行中の車両が、左車線にあり、例えば、更に早く走行している車両が、左車線後方から、ＡＣＣシステムを装備した車両に接近し、これを、該ＡＣＣシステムを装備した車両のドライバーが、例えば、バックミラー内に、気付いたケースなどにおいて、該ＡＣＣシステムを装備した追従している車両のドライバーが、その時点の交通シチュエーションを考慮して、右側通行原則を守ろうとした場合など、交通量が少ない時に起こり得る典型的な状況である。この様なケースでは、該ドライバーは、後ろを高速で走行している第三の車両を通過させるために右側車線に車線変更するが、この際に、左車線前方を低速で走行している車両を意図せずに右車線において追い越すことが起こり得る。
【０００４】
従来のＡＣＣシステムが、弱点を露呈する更なる追越シチュエーションとしては、例えば、片側二車線のアウトバーンにおいて、左車線に車両の列が形成され、該車列の右側の右車線が、比較的空いており、数台の、特に貨物車両など、低速車両が、互いに大きな車間を保ちながら走行している様な交通状況が挙げられる。この走行状況では、車両のドライバーにとっては、比較的空いている右車線に移動することが、走行中、それほども集中しなくても良く、且つ、車両の速度は、左車線と比べて、僅かにゆっくりとなるに過ぎないため、快適である場合が多い。この様な状況から、左車線を走行している車列を、意図せず、右側追抜してしまうことが起こり得る。
【０００５】
従来のＡＣＣシステムが、弱点を露呈する三番目の追越シチュエーションとしては、短期的に片側二車線のアウトバーンの右車線を走行し、前方を走行している貨物車両に接近したために左車線に出て来る車両を追い越すような状況が、挙げられる。
【０００６】
従来のＡＣＣシステムが、弱点を露呈する更なる重要な追越シチュエーションとしては、片側二車線の道路、例えば、アウトバーンにおいて、僅かにだけゆっくりと走行している、有意にゆっくりと走行している、例えば、貨物車両である車両に後ろから接近している車両を追い抜こうとしている従来のＡＣＣシステムを装備した車両がとり得る比較的顧慮の無い挙動を挙げることができる。このようなゆっくりとした追越プロセスは、右車線を略同じ速度で走っている該車両が、左車線への車線変更をできない、或いは、そのリスクが非常に大きいために、前を走っている貨物車両への追突を回避するために、強くブレーキをかけなければならないと言った状況を招く。このような強制された制動は、前方を走行中の車両のドライバーにとって、不愉快なだけでなく、不必要に走行速度を落とさせることになる。これにより、道路の流れも、有意に減速される。
【０００７】
これら全ての追越シチュエーションにおいて、従来のＡＣＣシステムでは、ドライバーが、能動的に、例えば、設定速度、乃至、巡航速度Ｖｓｅｔを繰り返し変更するなど、ＡＣＣシステムの帰還制御に介入することが必要になる。これにより、ＡＣＣシステムの操作が、ドライバーにとって快適でなくなる、即ち、その有用性が、低減する。場合によっては、ドライバーが、車両のＡＣＣシステムを完全にオフにすることもあり得る。更には、上記の従来のＡＣＣシステムの弱点が、追越シチュエーションにおいて、危険な交通状況を生み出す場合すらあり得る。
【発明の概要】
【発明が解決しようとする課題】
【０００８】
よって、本発明の課題は、ＡＣＣシステムによって走行速度が帰還制御される車両の追越プロセスの際の安全性を高めるための方法と装置を提供することである。
【課題を解決するための手段】
【０００９】
この課題は、本発明の請求項１記載の特徴を有する方法によって達成される。
【００１０】
本発明は、その一番目のアスペクトにおいて、その走行速度がＡＣＣシステムによって帰還制御されている車両の追越プロセスにおける安全性を高める、以下のステップを包含する方法を提供する：
車両が、少なくとも一台のある車線の前方を走行している車両を、ある追越プロセスにおいて、追い越す可能性のある潜在的追越シチュエーションを認識するステップ；並びに、
車両が、合法的に前方を走行中の車両を追い越せる場合、自分の追越プロセスを加速する、並びに、該車両が、非合法的な追越をしそうな場合、或いは、前方を走行中の車両の追越プロセスを可能にするために自分の追越プロセスを阻止（中断）するステップ。
【００１１】
本発明に係る方法は、危険な交通シチュエーションにおいて巡航速度を適合することを、ドライバーが強制されないと言う長所を提供する。これにより、ＡＣＣシステムの操作快適性が、有意に改善される。
【００１２】
本発明に係る方法は、更なる長所として、ＡＣＣシステムが、顧慮ある挙動、即ち、交通の流れの改善も提供する。特に好ましいことに、ＡＣＣシステムを備えた車両よりもほんの僅かにだけ低速で走行している前方を走行中の車両が、その、例えば、前方を走行中の貨物車両に対する追越プロセスを、確実に終了することを可能にする。そのために、該車両のＡＣＣシステムは、例えば、自車両の加速プロセスを実施しないなど、自らが多大な制限を受けることなく、前方を走行中の車両が、例えば、その前方を走行中の貨物車両などと言った第三の車両を安全に追い越すことが可能になるように、自車両の追越プロセスを阻止する。
【００１３】
これにより、時間と燃料を無駄にする前方を走行中の車両の急制動を回避することができる。更には、これにより、前方を走行中の車両のドライバーが不愉快になることも回避できる、即ち、特に、双方の交通参加者の走行安全性を脅かすことになるかもしれない該ドライバーの憤慨した反応を回避することができる。
【００１４】
本発明に係る方法の可及的実施形態においては、該車両のその時点の走行速度と前方を走行中の車両の走行速度が、ＡＣＣシステムの設定されている巡航速度を下回っている場合に、潜在的追越シチュエーションとして認識される。
【００１５】
本発明に係る方法の更なる可及的実施形態では、該車両が、非合法的に右側から少なくとも一台の前方を走行中の車両を追い抜く恐れがある場合、車両の現在の走行速度を、前方を走行中の車両の走行速度に合わせ、設定可能な維持期間、これを維持することにより、追越プロセスを阻止することが可能である。
【００１６】
本発明に係る方法の更なる可及的実施形態では、少なくとも一台の前方を走行中の車両の走行速度が、該車両のＡＣＣシステムの一つのセンサーユニットによって捕捉される。
【００１７】
本発明に係る方法の更なる可及的実施形態では、該車両のＡＣＣシステムのセンサーユニットは、比較的狭い視野領域・開口角度のレーダー・センサーによって構成されている。
【００１８】
本発明に係る方法の更なる可及的実施形態では、車両の更に一つの比較的大きな視野領域・開口角度を有するセンサーユニットが、車両近傍の他の車両を捕捉した場合、維持期間が、延長される。
【００１９】
本発明に係る方法の更なる可及的実施形態では、車両の該更なるセンサーユニットが、少なくとも一つの車載カメラ、レーダー・センサー、及び／或いは、ライダー・センサーを包含している。
【００２０】
本発明に係る方法の更なる可及的実施形態では、該車両が、左車線を走っている一つの車両グループの複数の前方を走行中の車両を右車線から追い抜く恐れがある場合に、該車両のその時点の走行速度を、該車両グループ、乃至、車列の前方を走行中の少なくとも一台の、ＡＣＣシステムのセンサーユニットの視野領域内にあり、ＡＣＣシステムの該センサーユニットによって捕捉されている車両の最低、乃至、平均走行速度に合わせることにより、追越プロセスが、阻止される。
【００２１】
本発明に係る方法の更なる可及的実施形態では、車両が左車線を走行し、且つ、右車線に、左車線に車線変更しそうな前方を走行中の車両が認識された場合、追越プロセスが加速される。
【００２２】
本発明に係る方法の更なる可及的実施形態では、前方を走行中の車両が、その前方にある不動のオブジェクト、或いは、その前方にある、低速で移動している、特に、貨物自動車に、実際に接近している、或いは、接近することが予想される場合に、右車線の前方を走行中の車両が、左車線に車線変更をしようとしていると認識される。
【００２３】
本発明に係る方法の更なる可及的実施形態では、右車線に、左車線に車線変更しそうな前方を走行中の車両が認識された場合、前方を走行中の車両を追い越すためにまだ残されている追越時間が計算される。
【００２４】
本発明に係る方法の更なる可及的実施形態では、左車線を走行している車両のその時点の走行速度、右車線の前方を走行中の車両の走行速度、並びに、右車線の前方を走行中の車両が、その前方のオブジェクトに接近する接近速度に基づいて、まだ残されている追越時間が計算される。
【００２５】
本発明に係る方法の更なる可及的実施形態では、設定されている巡航速度、及び／或いは、ＡＣＣシステムの他の帰還制御パラメーターが、計算によって割り出された、まだ残されている追越時間に基づいて、自分の追越プロセスが安全に実施できる、或いは、前方を走行中の車両が、追越プロセスを実施できるように変更される。
【００２６】
本発明に係る方法の更なる可及的実施形態では、追越プロセスは、ドライバーが、該追越プロセスの実施を該車両のＡＣＣシステムへの入力によって承認した、及び／或いは、追越プロセスにおいて法定最高速度を超過しない場合にのみ、実施される。
【００２７】
本発明は、更に、第二のアスペクトにおいて、請求項８に記載の特徴を有する車両の追越プロセスにおける安全性を向上する装置も提供する。
【００２８】
即ち、本発明は、その走行速度がＡＣＣシステムによって帰還制御されている車両の追越プロセスにおける安全性を高める、以下を包含する装置を提供する：
少なくとも一台の他の車線の前方を走行している車両を、追越プロセスにおいて、追い越す可能性のある潜在的追越シチュエーションを認識する認識ユニット、
但し、該車両が、合法的に前方を走行中の車両を追い越せる場合は、自分の追越プロセスは加速され、逆に、該車両による追越が、非合法的になる恐れがある場合は、該追越プロセスは、阻止される。
【図面の簡単な説明】
【００２９】
【図１】は、車両の追越プロセスにおける安全性を向上するための本発明に係る方法の実施例を示すための簡略化されたフローチャート；
【図２】は、安全性を向上するための本発明に係る方法と本発明に係る装置が採用される追越シチュエーションを示したスケッチ；
【図３】は、追越プロセスにおける安全性を向上するための本発明に係る方法と本発明に係る装置が採用される追越シチュエーションの更なる概略的な描写；
【図４】は、追越プロセスにおける安全性を向上するための本発明に係る方法と本発明に係る装置が採用される追越シチュエーションの更なる概略的な描写；
【図５】は、追越プロセスにおける安全性を向上するための本発明に係る方法と本発明に係る装置が採用される追越シチュエーションの更なる概略的な描写である。
【発明を実施するための形態】
【００３０】
以下、車両の追越プロセスにおける安全性を向上するための本発明に係る方法、並びに、本発明に係る装置の可及的実施形態を、添付されている図を用いて詳細に説明する。
図１からも明らかなように、車両の、特に、その速度が車両のＡＣＣシステムによって帰還制御されている道路用車両の追越プロセスにおける安全性を向上するための本発明に係る方法は、基本的に、二つのステップＳ１とＳ２を有している。
【００３１】
第一ステップＳ１では、ＡＣＣシステムを装備した車両が少なくとも一台の他の車線の前方を走行中の車両を、追越プロセスにおいて追い越すかもしれない潜在的追越シチュエーションが、認識される。ある可及的実施形態においては、該車両のその時点の走行速度と前方を走行中の車両の走行速度が、ＡＣＣシステムの設定されている巡航速度Ｖｓｅｔを下回っている場合に、特に、潜在的追越シチュエーションとして認識される。
【００３２】
潜在的追越シチュエーションが認識された場合、次のステップＳ２においてＡＣＣシステムが反応する。その際、ＡＣＣシステムを装備した車両が、合法的に前方を走行中の車両を追い越せる場合、追越プロセスは、加速され、逆に、ＡＣＣシステムを装備した車両にとって非合法的な追越、特に、右側追い越しになりそうな場合、該追越プロセスは、阻止される。該追越プロセスは、少なくとも一台の前方を走行中の車両を、その国の道路交通法において非合法的に、特に、右側から、追い抜くかもしれない場合に、前方を走行中の車両の走行速度にその時点の車両の走行速度を合わせ、設定可能な維持期間、維持することによって回避される。
【００３３】
ある可及的実施形態では、少なくとも一台の前方を走行中の車両の走行速度が、該車両のＡＣＣシステムの一つのセンサーユニットによって捕捉される。該センサーユニットは、ある可及的実施形態においては、比較的狭い視野領域・開口角度のレーダー・センサーによって構成されている。本発明に係る方法の可及的実施形態では、車両の更に一つの比較的大きな視野領域・開口角度を有するセンサーユニットが、自車両近傍の他の車両を捕捉した場合、該維持期間が、延長される。この更なるセンサーユニットは、ある可及的実施形態においては、車載カメラ、更なるレーダー・センサー、及び／或いは、ライダー・センサーを包含している。
【００３４】
可及的実施形態において、ステップＳ２では、ＡＣＣシステムを装備した車両が、左車線、例えば、アウトバーンの左車線を走っている一つの車両グループ、乃至、車列の複数の前方を走行中の車両を右車線から追い抜く恐れがある場合に、該車両のその時点の走行速度を、該車両グループ、乃至、車列の前方を走行中の少なくとも一台の、ＡＣＣシステムのセンサーユニットの視野領域内にあり、ＡＣＣシステムの該センサーユニットによって捕捉されている車両の最低、乃至、平均走行速度に、ＡＣＣシステムを装備した車両のその時点の走行速度を合わせることにより、追越プロセスが、阻止される。
【００３５】
本発明に係る方法の更なる可及的実施形態では、ステップＳ２において、車両が左車線を走行し、且つ、右車線に、左車線、例えば、アウトバーンの左車線に車線変更しそうな前方を走行中の車両が認識された場合、追越プロセスが加速される。これは、例えば、前方を走行中の車両が、その前方にある不動のオブジェクト、例えば、工事現場、或いは、その前方にある、低速で移送しているオブジェクト、例えば、低速で走行している貨物車両に、実際に接近している、或いは、接近することが予測される場合に認識される。ある可及的実施形態では、このようなシチュエーションにおいて、例えば、二台の貨物車両間にいる右車線の前方を走行中の車両が、左車線へ車線変更し、二台の車両の衝突の可能性がある場合、アウトバーンの左車線を移動中のＡＣＣシステムを装備した車両が、前方を走行中の車両を追い越すのに残されている追越時間が、計算される。
【００３６】
ある可及的実施形態においては、ＡＣＣシステムを装備した左車線を走行中の車両に残されている追越時間は、該ＡＣＣシステムを装備した車両のその時点の走行速度、右車線の前方を走行中の車両の走行速度、並びに、右車線の前方を走行中の車両が、その前方にある不動の、乃至、動いているオブジェクトに接近する接近速度に依存して計算される。ある可及的実施形態においては、設定されているＡＣＣシステムの巡航速度Ｖｓｅｔ、及び／或いは、その他の回帰制御用パラメーターは、計算された、残されている追越時間に依存して、追越プロセスが、安全に実施できるように変更される。ある可及的実施形態においては、その際、追越プロセスは、ＡＣＣシステムを装備した車両のドライバーが、ＡＣＣシステムへの入力によって承認した場合、及び／或いは、追越プロセス中に、法定最高速度、乃至、速度制限を、超過しない場合にのみ実施される。
【００３７】
図２，  ３，  ４はそれぞれ、本発明に係る方法が、追越プロセスにおける安全性の向上に有利である追越シチュエーションの異なる例を示している。
【００３８】
図２では、本発明に係るＡＣＣシステムを装備した車両１は、左車線Ｌと右車線Ｒを有する片側二車線の道路、特に、アウトバーンを走行している。該ＡＣＣシステムを装備した車両１は、示されている例では、走行速度Ｖにおいて、右側車線Ｒを走行している。図２に示されている交通シチュエーションは、例えば、以前左車線Ｌを走行していた車両１が、同じ車線を後方から接近して来る車両２を認識し、この後方から接近して来る高速な車両２が、左車線Ｌを通過できるように、右側への車線変更を実施した場合などに起こり得るものである。これは、特に、ＡＣＣシステムを装備した車両１が、比較的低速で走っている車両３の後ろを走行し、追い越せない場合に、頻繁に起こり得る例である。この様な交通シチュエーションにおいては、右側によけた追従車両１の走行速度Ｖは、ＡＣＣシステム内で設定されている巡航速度Ｖｓｅｔよりも遅い。車両１のＡＣＣシステムは、右車線Ｒへの車線変更後、車両１が、他の車線の、即ち、左車線Ｌの前方を走行中の車両２を追越プロセスにおいて追い越す、潜在的追越シチュエーションを認識する。これは、例えば、車両１のその時点の走行速度Ｖが、車両１のＡＣＣシステムの設定巡航速度Ｖｓｅｔよりも遅い走行中の車両３の走行速度以下である場合に認識される。このケースでは、車両１には、前方を走行中の車両３を、非合法的に、即ち、右側から追い抜く恐れがある。この様なシチュエーションにおいて、左前方を走行中の車両３も、その後方から来る、特に、高速な車両２を通過させるために、右車線Ｒに車線変更すると、このシチュエーションにおいて、車両３と右側を通過している車両１間が接触する、そして、場合によっては、後方から接近して来る車両２が、左車線Ｌ前方を低速で走行中の車両３に後ろから衝突する追突事故も起こり得る。そのため、安全を向上するための本発明に係る方法においては、このようなケースでは、ステップＳ２において、ＡＣＣシステムを装備した車両１が、前方を走行中の車両３を非合法的に追い抜きそうになった場合、その追越プロセスが、阻止される。この様な追越プロセスの阻止は、車両１のＡＣＣシステムによって、自動的に実施される。この際、車両１のＡＣＣシステムは、好ましくは、非合法的な追越を、車両１のその時点の走行速度Ｖを前方を走行中の車両３の走行速度に合わせてから、設定可能な維持期間、例えば、数秒間これを維持することによって阻止する。これにより、車両１が、前方を走行中の車両３を右車線Ｒから追い越す、乃至、通過することが、阻止され、前方を走行中の車両３も、右車線Ｒへの車線変更が可能な十分なスペースが残される。この様なケースでは、後方から接近して来る高速の車両には、双方の車両１，  ３を左車線Ｌ上において危険なく追い越すことが可能となる。ある可及的実施形態においては、ＡＣＣシステムを装備した車両１は、前方を走行中の車両の走行速度Ｖを捕捉するセンサーユニットを装備している。該センサーユニットは、ある可及的実施形態においては、比較的狭い視野領域・開口角度のレーダー・センサーによって構成されていることができる。ＡＣＣシステムを装備した車両１のレーダー・センサーの視野領域は、図２に概略的に示されている���ある好ましい実施形態においては、該ＡＣＣシステムを装備した車両１は、その視野領域ＳＢ２が、比較的広い視野領域・開口角度である更なるセンサーユニットも装備している。この更なるセンサーユニットは、例えば、車載カメラ、更なるレーダー・センサー、及び／或いは、ライダー・センサーであることができる。図２に示されている実施例では、ＡＣＣシステムを装備した車両１は、二つのセンサーユニット、即ち、視野領域ＳＢ１が、比較的狭い視野領域・開口角度である第一センサーユニットと、視野領域ＳＢ２が、比較的広い視野領域・開口角度である第二センサーユニットを備えている。本発明に係る方法の好ましい実施形態では、車両１が、この期間、前方を走行中の車両３の走行速度に合わせて維持する維持期間Ｈは、比較的広い視野領域・開口角度ＳＢ２を有する該車両の第二センサーユニットが、他の車両、特に、車両１近傍の左車線Ｌの側方の前方を走行中の車両３を捕捉した場合に延長される。ＡＣＣシステムの挙動は、ＡＣＣシステムによって車両１が加速される前に、合わせられた速度が、設定可能な維持期間Ｈ維持されることによって改善される。即ち、合わされて減速した走行速度が、車両１のＡＣＣシステムが、設定されている巡航速度Ｖｓｅｔに再び加速する前、ある一定期間、例えば、十秒間維持される。前方を走行中の車両３が、十分に加速し、ＡＣＣシステムのＡＣＣセンサーの視野領域に再び入った場合、左車線Ｌ上で認識されたオブジェクトに対して帰還制御が実施できる。更に、ＡＣＣシステムの好ましい実施形態では、維持時間Ｈが、広い視野領域ＳＢ２を有する更なるセンサーユニットによって、必要な限り延長され続けることも可能である。即ち、例えば、車両１にモノカメラ、或いは、ステレオカメラが搭載されており、車両１の該カメラ１が、ＡＣＣシステムのレーダー・センサーの狭い視野領域ＳＢ１外の左車線Ｌ上の前方を走行中の車両３を捕捉している間は、車両の速度Ｖが、維持され、巡航速度Ｖｓｅｔへの加速が実施されない。この様なケースでは、十分な速度情報を得ることのできないオブジェクトに対する帰還制御は、実施されず、設定されている巡航速度Ｖｓｅｔへの加速が、阻止される。多くのケースにおいて、左車線Ｌ上の車両は、減速しないため、右側追い越しを回避することができる。
【００３９】
図３は、本発明に係る方法が採用される更なる交通シチュエーションを示している。車両１は、図３に示されているような比較的狭い視野領域ＳＢ１を有するセンサーユニットを備えたＡＣＣシステムを搭載している。示されているような交通シチュエーションでは、ＡＣＣシステムを装備した車両１は、片側二車線の道路、特に、アウトバーンの右車線Ｒを速度Ｖで走行している。図３に示されているような交通シチュエーションでは、交通量、特に、アウトバーンの左車線Ｌの交通量は、比較的多い。左車線Ｌ上を、複数の車両５が、列を形成して走行している中、車両１は、右車線Ｒ上を、低速の車両、例えば、貨物車両４に対して大きな間隔をもって走行している。この交通シチュエーションにおいて、車両１のドライバーは、集中力を節約すべく、右車線Ｒを走行しているが、左車線Ｌ上の車列内を走行している車両５−１，  ５−２，  ５−３，  ５−４，  ５−５の走行速度Ｖは、このような状況において典型的な如く、ＡＣＣシステムを装備した車両１の速度Ｖよりも僅かにだけ早い。図３からも明らかなように、左車線Ｌ上の数台の車両５−ｉは、車両１のＡＣＣシステムのセンサーユニットの視野領域ＳＢ１内にない一方、他の前方を走行中の車両は、ＡＣＣシステムのセンサーユニットの視野領域ＳＢ１内にある。図３からも明らかなように、左車線Ｌ上の真隣の車両５−１，  ５−２は、長い期間、車両１に対して略並行してアウトバーンを走行しているため、ＡＣＣセンサーの捕捉領域にない。よって、このような交通シチュエーションでは、ＡＣＣセンサーの視野領域ＳＢ１内のより前方を走行中の車両、例えば、車両５−４，  ５−５から速度設定値を割り出すことが可能である。ある可及的実施形態においては、中距離、例えば、ＡＣＣセンサーの視野領域ＳＢ１内の距離Ｅ１から距離Ｅ２離れた車両が、選択される、乃至、セレクトされる。ある可及的実施形態においては、距離Ｅ１と距離Ｅ２間において選択された車両グループの全車両中の最低速度が、捕捉され、ＡＣＣシステムの帰還制御基準値として用いられる。従来のＡＣＣ帰還制御とは異なり、ここでは、ＡＣＣシステムの快適性を高めるために、好ましくは、速度シグナル用フィルターを採用することができる。代案的な実施形態では、車両グループの、例えば、車両５−３，  ５−４の走行速度の単純な平均値、乃至、荷重された平均値をＡＣＣシステムの速度基準値として割り出すことが可能である。図３に示されている交通シチュエーションでも、追越シチュエーションは、典型的な特徴から認識することができる。図３に示されている交通シチュエーションでは、車両１も走行している右車線Ｒ上のセンサー領域ＳＢ１に一台も、或いは、ほとんど車両が走行していない、或いは、車両４が比較的大きな間隔をもって走行しているなか、比較的多くの車両が、短い間隔で左車線Ｌ上を走行している。このシチュエーションにおいてＡＣＣシステム１の巡航速度Ｖｓｅｔが、左車線Ｌ上の前方を走行中の車両グループ、乃至、車列の速度よりも高く設定されている場合、潜在的追越シチュエーションが認識される。
【００４０】
車両１の左側に車線があり、車両１が、高く設定されている巡航速度Ｖｓｅｔで前方を走行中の車両に接近する全ての交通シチュエーションにおいて、ドライバーが、追越プロセスを実施するために左車線Ｌに車線変更する前に、車両１のＡＣＣシステムによって、ある意味、制動されてしまうシチュエーションが起こり得る。例えば、図３のような交通シチュエーションにおいて、車両１が、同じ右車線Ｒの前方を走行中の貨物車両４に接近した場合、従来のＡＣＣシステムでは、ドライバーが、左車線に車線変更する前に、制動されてしまうことが起こり得る。ある可及的実施形態においては、ＡＣＣシステムから、左車線Ｌへの快適な車線変更タイミングに関するアドバイスをドライバーが得ることができるため、車両１のドライバーは、車両１のＡＣＣシステムと容易にやり取りできる。左車線Ｌへの快適な車線変更を実施できるように、例えば、ドライバーは、ＡＣＣ帰還制御系が車両１の速度を、前方を走行中の車両４に起因して減速する五秒前に、車両１のＡＣＣシステムからのアドバイスを得ることができる。例えば、車両１のドライバーは、ＡＣＣシステムから、車線変更の実施を示唆する例えば、インストゥルメント・クラスター、或いは、ＨＵＤ（ヘッド・アップ・ディスプレー）にランプを点灯させるなど、控えめなビジュアル・アドバイスを得ることができる。
【００４１】
図４は、本発明に係る方法が好ましく採用される得る更なる交通シチュエーションを概略的に示している。図４に示されている交通シチュエーションでは、ＡＣＣシステムを装備した車両１が、片側二車線の道路、特にアウトバーンの左車線Ｌを走行している。前方を相対的に低速で走行中の車両７が、右車線Ｒへ車線変更することによって車両１を回避したが、この際、該前方を走行中の車両７は、二台の比較的低速で走行している、例えば、二台の貨物車両５，  ６の間の間隔ＬUに入ってしまった。しかし、双方の貨物車両５，  ６の間の間隔ＬUが、比較的小さい場合、該前方を走行中の車両７が、特に、該前方を走行中の車両７のドライバーが、後続の車両１に気付いていない場合、再び、左車線Ｌへと出てくる可能性がある。間隔ＬUの大きさに応じて、本発明に係る方法の可及的実施形態においては、車両１が、左車線Ｌを走行し、且つ、右車線Ｒ前方を走行中の車両７が、ある時点において、左車線Ｌに出てくる、特に、その前方にあるオブジェクト、特に貨物車両６に、接近した時点において、左車線Ｌに出てくる恐れがある場合、車両１の追越プロセスが、自動的に加速される。例えば、右車線Ｒの前方を走行中の該車両７が、左車線Ｌに出て来る危険性は、前方を走行中の車両７が、その前方にある不動のオブジェクト、例えば、工事現場、或いは、その前方を低速で走行しているオブジェクト、例えば、図４に示されているような貨物車両６に、実際に接近している、或いは、接近することが予測される場合に、認識される。ある可及的実施バリエーションでは、この際に、右車線Ｒの前方を走行中の車両７が、その前方にあるオブジェクトに接近している場合、好ましくは、車両１に該前方を走行中の車両７を追い越すために残されている追越時間が計算されるある可及的実施形態においては、残されている追越時間は、車両１のＡＣＣシステムの計算ユニットによって、該車両１のその時点の走行速度、右車線の前方を走行中の車両７の走行速度Ｖ、並びに、右車線Ｒの前方を走行中の車両７が、その前方にあるオブジェクト、例えば、貨物車両６に接近する接近速度に依存して計算される。車両１の設定された巡航速度Ｖｓｅｔ、或いは、車両１のＡＣＣシステムの他の帰還制御パラメーターは、この際、計算によって割り出された、まだ残されている追越時間に依存して、追越プロセスが、まだ安全に終了できるように変更される。好ましくは、該車両１が、前方を走行中の車両７を左車線Ｌから追い越す追越プロセスは、車両１のドライバーが、該追越プロセスを、車両１のＡＣＣシステムへの入力によって承認した場合、及び／或いは、アウトバーンの法定最高速度、乃至、速度制限を追越プロセス中に超過しない場合に限って実施される。
【００４２】
図４に示されているような追越シチュエーションは、ＡＣＣセンサーの到達距離が、右車線Ｒの間隔ＬUを測定するのに十分であれば、車両１のＡＣＣシステムによって認識されることができる。この様なケースでは、追越時間が制限された可及的追越シチュエーションであることが、直接的に認識可能である。図４に示されているような交通シチュエーションは、交通が空いている状況下で起こり得る典型的なケースであり、それぞれ大きな車間を取って貨物車両が右車線Ｒを低速で走行している。しかし、ここでは、前方の貨物車両が、まだ、車両１のＡＣＣセンサーのセンサー到達距離外にある時に、前方を走行中の車両７が、左車線Ｌへと出てくることもあり得る。右車線Ｒを通過した貨物車両のヒストリーから、ある可及的実施形態においては、類似する交通シチュエーションを予測できる。このために、既知の相対速度、自己速度、並びに、時間測定を基に、右車線上のそれぞれの貨物車両間の平均間隔を割り出す、乃至、該間隔を計算する。この際に、貨物自動車が右車線Ｒに規則的に現れることが認識された場合、前方を走行中の車両７が、ある貨物車両５の後ろから出てくる潜在的な追越時間が制限された追越シチュエーションを、仮にその先を走行中の貨物車両６が、該車両１のＡＣＣセンサーの視野領域ＳＢ内にまだない場合であっても、それを認識することができる。また、前方を走行中の車両７が、貨物車両５の直ぐ手前から、即ち、小さな間隔で、出てくるプロセスからも、追越時間が制限された追越シチュエーションであるということが認識できる。例えば、図４に示されている追越シチュエーションなど、追越時間が制限された追越シチュエーションが、認識された場合は、好ましくは、追越に必要な時間が、合法な範囲内において最短化される。ある可及的実施形態においては、最大許容される加速が、キックダウンによって実施される。更に、ＡＣＣシステムの帰還制御パラメーターの変更によって、幾ばくかの速度超過を許容する動的な帰還制御セッティングが実施される。
【００４３】
走行速度とＡＣＣシステム内で設定されている巡航速度Ｖｓｅｔの差が、使用可能な追越時間内に追越プロセスを確実に完了するのに、十分ではないことも起こり得る。この様なケースでは、ある可及的実施形態においては、追越プロセスを加速するために、設定されている巡航速度Ｖｓｅｔを超過し、その後に、再び、巡航速度Ｖｓｅｔに減速されることが実施される。これは、該ＡＣＣシステムが、例えば、設定された巡航速度Ｖｓｅｔ＋１０ｋｍ／ｈと言った速度許容値を与えることにより実施可能であり、追越時間が制限された追越プロセスでは、巡航速度の超過が、速度許容値の範囲内で許される。ある可及的実施形態においては、この許容値は、自ら設定することができる。代案的実施形態では、この速度許容値は、ユーザーインターフェースを介してコンフィグレーション可能である。またこの速度許容値は、更なる可及的実施形態においては、ＡＣＣシステムのダイナミズム、即ち、目標タイムギャップを基に潜在的に選択されることも可能である。合法な、或いは、推奨される最高速度Ｖｍａｘを超過しないように、本発明に係る方法によって提供される機能は、制限速度を認識した場合、一定期間、停止され、制限速度、乃至、速度制限が解除されたことが認識されてから再作動される。ある道路において有効な制限速度、乃至、速度制限は、例えば、車両１のカメラ、或いは、ナビゲーション・システムによって認識されることができる。
【００４４】
更なる可及的実施形態においては、追越プロセスは、車両１のドライバーが、追越プロセスの実施を、車両１のＡＣＣシステムへの入力によって承認した場合にのみ実施される。この実施形態では、ドライバーによる追越プロセスの実施のための承認をＡＣＣシステムが要求する。ドライバーには、この目的で、認識された追越シチュエーションが迫っていることが、ヴィジュアルな、視覚的な、聴覚的な報告によって示されることができる。車両１のドライバーが、これに、例えば、加速命令「Ａｃｃｅｌｅｒａｔｅ」や「Ｒｅｓｕｍｅ」を出して、反応した場合、追越プロセスが、巡航速度設定を変更することなく開始される。代案的実施形態では、車両１のドライバーは、アクセルペダルを踏むことによって追越プロセスを承認する。双方のケースにおいて、追越プロセスの承認は、追越シチュエーションが認識された後の一定期間、報告無しにアクティブであっても良い。前方を走行中の車両７の速度、間隔ＬUの長さ、車両１の最大加速や速度によって、車両７の追越が、少なくともこれが間隔ＬU内にいる間、不可能であることが認識された場合、該追越プロセスは、回避される、乃至、中止される。
【００４５】
この本発明に係る方法と本発明に係るシステムによれば、車両の追越プロセスにおける安全性が、様々な追越シチュエーションにおいて有意に向上される。更に本発明に係る方法と本発明に係る装置は、ドライバーにとって快適な帰還制御と簡単な操作を提供する。また、従来のＡＣＣシステムの機能は、本発明に係る方法によって、更なる走行シチュエーション、特に、追越シチュエーションにも拡張されるにも拘らず、ドライバーによる介入は最小限に抑えられる。特に右側追越プロセスの回避は、高度に自動化された走行において重要である。本発明に係る方法では、ＡＣＣシステムのための速度設定値の割り出しにおいて、隣接する車線の交通シチュエーションも考慮される。本発明に係る方法は、ＡＣＣシステムを装備した車両の追越挙動の改善を、交通シチュエーションのシチュエーション分析によって提供する。その走行速度がＡＣＣシステムによって帰還制御されている車両の追越プロセスにおける安全性を高めるための本発明に係る装置は、ドライバー・アシスタント・システムに内蔵されることができる。
【００４６】
本発明に係る方法を、図２，  ３，  ４に示されている交通シチュエーションの例に基づいて説明する。本発明に係る方法は、他の多くの交通シチュエーション、特に、一車線、乃至、複数車線の道路における潜在的追越シチュエーションにおいて適している。更に、本発明に係る方法は、例えば、片側一車線ずつの一般道路にも適している。この実施形態では、好ましくは、追越に用いる車線上を対抗して走って来る車両の接近速度も考慮される。追越プロセスは、ＡＣＣシステムを装備した車両が、合法的に、対向車との衝突の危険性無く追越が可能な場合、本発明に係る方法により加速される。逆に、例えば、左側の車線を対向してくる車両に対しての衝突の危険性があるなど、前方を走行中の車両を許されない方法で追い越すことになりそうな場合、本発明に係る方法によって、追越プロセスは、阻止される。
【００４７】
更なる潜在的な危険な追越シチュエーションもあり得る。例えば、ある可及的実施形態においては、アウトバーン上において、左車線Ｌ状を、所謂「逆行車両」が、ＡＣＣシステム１を装備した車両１に対向して来る場合も、潜在的な危険な追越シチュエーションが認識される。本発明に係る方法の更なる可及的実施形態では、異なるタイプの道路、即ち、例えば、片側二車線の国道、或いは、合計四車線のアウトバーンなどが分類される。更に、潜在的追越シチュエーションも、それぞれの走行方向で、様々な数の車線、例えば、合計六車線、即ち、片側三車線ずつのアウトバーンなども認識されることができる。このケースでは、車両が、片側三車線のアウトバーンの左車線、中央車線、或いは、右車線のいずれにいるかによって様々な追越シチュエーションが考慮されることができる。複雑な走行シチュエーション、乃至、追越シチュエーションは、異なる視野領域ＳＢと異なる視野・開口角度を有する一つの、或いは、複数のＡＣＣセンサーユニットによって認識されることができる。ある可及的実施形態においては、ＡＣＣシステムは、視野領域ＳＢが前方に向けられているセンサーユニットだけでなく、視野領域ＳＢが後方に向けられているセンサーユニットも、問題ある交通、乃至、追越シチュエーションを起こしかねない高速で接近して来る車両を認識するために、装備している。好ましい実施形態において、車両１のＡＣＣシステムは、様々な前後に向けられた視野領域ＳＢｉと視野・開口角度αｉを備えた複数のＡＣＣセンサーユニットを、複雑な追越シチュエーションを認識し、認識された複雑な追越シチュエーションに対する反応として追越プロセスを加速する、或いは、阻止する、或いは、遅延するために、備えている。更に好ましい実施形態では、ＡＣＣシステムは、そのセンサー類を用いて、例えば、図２，  ３，  ４の様に二車線、或いは、合計六車線のアウトバーンのように片側三車線使用可能など、その道路において何車線使用可能かを認識できる。更に、本発明に係るＡＣＣシステムは、センサーによって認識された車線マークによって、特に、その時点において車両が走っている走行車線を認識できる。これにより、ＡＣＣセンサーを用いて、例えば、どの車線に低速で前方を走行中の車両があり、どの車線に後方から接近して来る高速な車両があるかを認識することができる。好ましい実施形態では、本発明に係る方法と本発明に係るＡＣＣシステムによって、追越シチュエーションの複雑なシチュエーション分析が、認識された車線と異なる車線上の前方を走行中の車両とその絶対速度、並びに、車両１に対する相対速度に基づいて、リアルタイムに実施できる。好ましくは、ＡＣＣシステムのデータ処理ユニットによって、リアルタイムに実施されるシチュエーション分析を基に、自車両の加速プロセスが、帰還制御パラメーターの変更により、加速される、或いは、遅延される、或いは、阻止される。
【００４８】
安全性を向上するための本発明に係る方法が採用可能な更なる可及的交通シチュエーションは、図５に示す如く、ＡＣＣシステムを装備した車両１が、アウトバーンの左車線Ｌ上において、ＡＣＣシステムを装備した車両１よりも僅かにだけゆっくりと走行している右車線Ｒの前方を走行中の車両８に接近すると言うものである。双方の車両１，  ８間の相対速度が小さい場合、右車線Ｒを走行している車両８を、ＡＣＣシステムを装備した車両１が追い越す追越プロセスは、比較的長時間要する。このシチュエーションにおいて、右車線Ｒの前方を略同じ速度で走行中の車両８が、その前方にある比較的ゆっくりと走行している貨物車両９に接近した場合、追越プロセスに起因して、急ブレーキをかけざるを得ない場合も起こり得る。その理由は、ゆっくりと追越をかけてきているＡＣＣシステムを装備した車両１と右車線Ｒの走行中の車両８との間隔が小さくなりすぎたために、貨物車両９に接近している前方を走行中の車両８が、左側に車線変更できないことである。本発明に係る方法によれば、この様な潜在的追越シチュエーションは、特に、右車線Ｒの前方を低速で走行中の貨物車両９の速度、右車線Ｒのその後ろから接近してきている車両８の速度、並びに、該貨物車両９とその後方を走行中の車両８との間隔から認識される。この様な交通シチュエーションが認識された後、本発明に係る方法では、ＡＣＣシステムを装備した左車線Ｌを走行中の車両１の位置、右車線Ｒを僅かにだけゆっくりとその前方を走行している車両８の位置に基づいて、ＡＣＣシステムを装備した車両１の加速が、中止される、乃至、遅延される。ある可及的実施形態においては、速度情報の他、例えば、視覚的交通シグナル、特に、ブレーキやウインカーシグナルと言った他のシグナルも評価される。
【００４９】
ここに示されている実施バリエーションでは、ＡＣＣシステムを装備した車両１は、前方を走行中の車両８に対して、思いやりのある挙動を示し、特に、有意にゆっくりと走行している貨物車両９を追い越すための左車線Ｌへの車線変更を可能にしている。これにより、道路交通の流れが向上し、ＡＣＣシステムを装備した車両１のより直感的な挙動が、提供される。右前方を走行中の車両８もＡＣＣシステムを装備している場合、図５に示したこの様な特定な交通シチュエーションを認識し、オプション的に、車両８の貨物車両９を追い越すための追越プロセスが加速される。この実施バリエーションでは、車両１は、車両８に対する追越プロセスは、抑制され、同時に、前方を走行中の貨物車両９に対する車両８の追越プロセスは、加速される、乃至、短縮される。
【００５０】
ある可及的実施形態においては、車両１と車両８の双方のＡＣＣシステムが、交通の流れを最適化するために協力し合う。このコミュニケーションは、バックエンド・システムを介して、或いは、直接的に、双方の車両１，  ８間の無線インターフェースを介して可能である。更に、貨物車両も本発明に係るＡＣＣシステムを装備している場合、ある可及的実施形態において、車両１の、車両８の、並びに貨物車両９のＡＣＣシステムどうしがコミュニケーションし、予め定められている最適化条件に基づいて、全ての関与している車両、特に車両１，  ８，  ９の交通の流れ、乃至、走行の流れを最適化する。このようなＡＣＣシステムの相互協力により、交通の流れが改善されるだけでなく、全ての交通参加者の安全も向上される。
【００５１】
更なる実施形態も可能である。例えば、認識された交通シチュエーション、乃至、追越シチュエーションは、様々なタイプの車両、及び／或いは、プライオリティも考慮することができる。例えば、車両１は、出動中の救急車、及び／或いは、警察車両であることができる。発信されるシグナル、例えば、消された回転灯などによって示されるこれらの車両の高いプライオリティが、ＡＣＣシステムを装備している他の車両の加速プロセス、及び／或いは、減速プロセスの設定の際に、認識され、エンジン、及び／又はブレーキの制御、乃至、帰還制御において考慮されることが可能である。ＡＣＣシステムを装備した車両の、救急車、及び／或いは、警察車両に対する特に顧慮ある挙動も、本発明に係る方法によって達成可能である。例えば、高いプライオリティをもった救急車が、無意味なブレーキや加速プロセスから解放され、それにより、運搬される人の安全、及び／或いは、健康が守られることも達成可能である。
【図１】
2017518913.tif 000003
【図２】
2017518913.tif 000004
【図３】
2017518913.tif 000005
【図４】
2017518913.tif 000006
【図５】
2017518913.tif 000007
【国際調査報告】
2017518913.tif 000008
2017518913.tif 000009
2017518913.tif 000010
2017518913.tif 000011